(57)【要約】【構成】イメージャ１６は、撮像面で捉えられた光学像に対応する生画像データを出力する。ＣＰＵ２６は、セルフポートレートモードを含む複数の撮影モードのうちモードキー２８ｍｄの操作によって指定された撮像モードに従って厳格ＡＥ処理およびＡＦ処理を実行し、その後にイメージャ１６から出力された生画像データに基づくＹＵＶ形式の画像データをシャッタボタン２８ｓｈの全押しに応答して取得する。取得された画像データに対応するプレビュー画像は、シャッタボタン２８ｓｈの全押しのタイミングを基準とする指定期間にＬＣＤモニタ２８に表示される。ただし、セルフポートレートモードに対応して設定される指定期間の長さは、セルフポートレートモードと異なる撮影モードに対応して設定される指定期間の長さよりも延長される。【効果】プレビュー画像の表示に関する性能が向上する。【選択図】図２
2013175979.tif 000002
【特許請求の範囲】
【請求項１】
撮像面で捉えられた光学像に対応する電子画像を出力する撮像手段、
自己撮影モードを含む複数の撮影モードのいずれか１つに従って撮像条件を調整する調整手段、
前記調整手段の処理の後に前記撮像手段から出力された電子画像を取得操作に応答して取得する取得手段、
前記取得手段によって取得された電子画像に対応するプレビュー画像を前記取得操作のタイミングを基準とする指定期間にモニタ画面に表示する表示手段、および
前記自己撮影モードに対応する前記指定期間の長さを前記自己撮影モードと異なる撮影モードに対応する前記指定期間の長さよりも延長する制御手段を備える、電子カメラ。
【請求項２】
前記モニタ画面の向きは前記撮像面の向きと相違する、請求項１記載の電子カメラ。
【請求項３】
前記複数の撮像モードのいずれか１つを選択する選択操作を受け付ける受け付け手段をさらに備え、
前記調整手段によって参照される撮像モードは前記選択操作によって選択された撮像モードに相当する、請求項１または２記載の電子カメラ。
【請求項４】
前記調整手段によって調整される撮像条件はフォーカス，露光量および白バランスの少なくとも１つを含む、請求項１ないし３のいずれかに記載の電子カメラ。
【請求項５】
撮像面で捉えられた光学像に対応する電子画像を出力する撮像手段を備える電子カメラのプロセッサに、
自己撮影モードを含む複数の撮影モードのいずれか１つに従って撮像条件を調整する調整ステップ、
前記調整ステップの処理の後に前記撮像手段から出力された電子画像を取得操作に応答して取得する取得ステップ、
前記取得ステップによって取得された電子画像に対応するプレビュー画像を前記取得操作のタイミングを基準とする指定期間にモニタ画面に表示する表示ステップ、および
前記自己撮影モードに対応する前記指定期間の長さを前記自己撮影モードと異なる撮影モードに対応する前記指定期間の長さよりも延長する制御ステップを実行させるための、撮像制御プログラム。
【請求項６】
撮像面で捉えられた光学像に対応する電子画像を出力する撮像手段を備える電子カメラによって実行される撮像制御方法であって、
自己撮影モードを含む複数の撮影モードのいずれか１つに従って撮像条件を調整する調整ステップ、
前記調整ステップの処理の後に前記撮像手段から出力された電子画像を取得操作に応答して取得する取得ステップ、
前記取得ステップによって取得された電子画像に対応するプレビュー画像を前記取得操作のタイミングを基準とする指定期間にモニタ画面に表示する表示ステップ、および
前記自己撮影モードに対応する前記指定期間の長さを前記自己撮影モードと異なる撮影モードに対応する前記指定期間の長さよりも延長する制御ステップを備える、撮像制御方法。
【請求項７】
撮像面で捉えられた光学像に対応する電子画像を出力する撮像手段、および
メモリに保存された内部制御プログラムに従う処理を実行するプロセッサを備える電子カメラに供給される外部制御プログラムであって、
自己撮影モードを含む複数の撮影モードのいずれか１つに従って撮像条件を調整する調整ステップ、
前記調整ステップの処理の後に前記撮像手段から出力された電子画像を取得操作に応答して取得する取得ステップ、
前記取得ステップによって取得された電子画像に対応するプレビュー画像を前記取得操作のタイミングを基準とする指定期間にモニタ画面に表示する表示ステップ、および
前記自己撮影モードに対応する前記指定期間の長さを前記自己撮影モードと異なる撮影モードに対応する前記指定期間の長さよりも延長する制御ステップを前記内部制御プログラムと協働して前記プロセッサに実行させるための、外部制御プログラム。
【請求項８】
撮像面で捉えられた光学像に対応する電子画像を出力する撮像手段、
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
自己撮影モードを含む複数の撮影モードのいずれか１つに従って撮像条件を調整する調整ステップ、
前記調整ステップの処理の後に前記撮像手段から出力された電子画像を取得操作に応答して取得する取得ステップ、
前記取得ステップによって取得された電子画像に対応するプレビュー画像を前記取得操作のタイミングを基準とする指定期間にモニタ画面に表示する表示ステップ、および
前記自己撮影モードに対応する前記指定期間の長さを前記自己撮影モードと異なる撮影モードに対応する前記指定期間の長さよりも延長する制御ステップを前記内部制御プログラムと協働して実行するプログラムに相当する、電子カメラ。
【発明の詳細な説明】
【技術分野】
【０００１】
この発明は、電子カメラに関し、特にシャッタボタンの操作に応答して取り込まれた静止画像に相当するプレビュー画像をモニタ画面に表示する、電子カメラに関する。
【背景技術】
【０００２】
この種の電子カメラの一例が、特許文献１に開示されている。この背景技術によれば、ディジタルカメラの前面には、撮影画像の表示が可能な前面表示部と、撮影レンズ部の開口部とが設けられる。また、ディジタルカメラの背面には、撮影画像の表示が可能な背面表示部が設けられる。自分自身を撮影するとき、操作者は前面表示部で構図を確認することができる。
【先行技術文献】
【特許文献】
【０００３】
【特許文献１】特開２００４−２４１８８３号公報
【発明の概要】
【発明が解決しようとする課題】
【０００４】
しかし、背景技術では、シャッタボタンの操作に応答して取得された静止画像がプレビュー画像として表示されることはなく、画像表示性能に限界がある。
【０００５】
それゆえに、この発明の主たる目的は、プレビュー画像の表示に関する性能を高めることができる、電子カメラを提供することである。
【課題を解決するための手段】
【０００６】
この発明に従う電子カメラ(10：実施例で相当する参照符号。以下同じ)は、撮像面で捉えられた光学像に対応する電子画像を出力する撮像手段(16)、自己撮影モードを含む複数の撮影モードのいずれか１つに従って撮像条件を調整する調整手段(S9)、調整手段の処理の後に撮像手段から出力された電子画像を取得操作に応答して取得する取得手段(S17)、取得手段によって取得された電子画像に対応するプレビュー画像を取得操作のタイミングを基準とする指定期間にモニタ画面に表示する表示手段(S19, S35)、および自己撮影モードに対応する指定期間の長さを自己撮影モードと異なる撮影モードに対応する指定期間の長さよりも延長する制御手段(S23~S27)を備える。
【０００７】
好ましくは、モニタ画面の向きは撮像面の向きと相違する。
【０００８】
好ましくは、複数の撮像モードのいずれか１つを選択する選択操作を受け付ける受け付け手段(28md)がさらに備えられ、調整手段によって参照される撮像モードは選択操作によって選択された撮像モードに相当する。
【０００９】
好ましくは、調整手段によって調整される撮像条件はフォーカス，露光量および白バランスの少なくとも１つを含む。
【００１０】
この発明に従う撮像制御プログラムは、撮像面で捉えられた光学像に対応する電子画像を出力する撮像手段(16)を備える電子カメラ(10)のプロセッサ(26)に、自己撮影モードを含む複数の撮影モードのいずれか１つに従って撮像条件を調整する調整ステップ(S9)、調整ステップの処理の後に撮像手段から出力された電子画像を取得操作に応答して取得する取得ステップ(S17)、取得ステップによって取得された電子画像に対応するプレビュー画像を取得操作のタイミングを基準とする指定期間にモニタ画面に表示する表示ステップ(S19, S35)、および自己撮影モードに対応する指定期間の長さを自己撮影モードと異なる撮影モードに対応する指定期間の長さよりも延長する制御ステップ(S23~S27)を実行させるための、撮像制御プログラムである。
【００１１】
この発明に従う撮像制御方法は、撮像面で捉えられた光学像に対応する電子画像を出力する撮像手段(16)を備える電子カメラ(10)によって実行される撮像制御方法であって、自己撮影モードを含む複数の撮影モードのいずれか１つに従って撮像条件を調整する調整ステップ(S9)、調整ステップの処理の後に撮像手段から出力された電子画像を取得操作に応答して取得する取得ステップ(S17)、取得ステップによって取得された電子画像に対応するプレビュー画像を取得操作のタイミングを基準とする指定期間にモニタ画面に表示する表示ステップ(S19, S35)、および自己撮影モードに対応する指定期間の長さを自己撮影モードと異なる撮影モードに対応する指定期間の長さよりも延長する制御ステップ(S23~S27)を備える。
【００１２】
この発明に従う外部制御プログラムは、撮像面で捉えられた光学像に対応する電子画像を出力する撮像手段(16)、およびメモリ(44)に保存された内部制御プログラムに従う処理を実行するプロセッサ(26)を備える電子カメラ(10)に供給される外部制御プログラムであって、自己撮影モードを含む複数の撮影モードのいずれか１つに従って撮像条件を調整する調整ステップ(S9)、調整ステップの処理の後に撮像手段から出力された電子画像を取得操作に応答して取得する取得ステップ(S17)、取得ステップによって取得された電子画像に対応するプレビュー画像を取得操作のタイミングを基準とする指定期間にモニタ画面に表示する表示ステップ(S19, S35)、および自己撮影モードに対応する指定期間の長さを自己撮影モードと異なる撮影モードに対応する指定期間の長さよりも延長する制御ステップ(S23~S27)を内部制御プログラムと協働してプロセッサに実行させるための、外部制御プログラムである。
【００１３】
この発明に従う電子カメラ(10)は、撮像面で捉えられた光学像に対応する電子画像を出力する撮像手段(16)、外部制御プログラムを取り込む取り込み手段(46)、および取り込み手段によって取り込まれた外部制御プログラムとメモリ(44)に保存された内部制御プログラムとに従う処理を実行するプロセッサ(26)を備える電子カメラであって、外部制御プログラムは、自己撮影モードを含む複数の撮影モードのいずれか１つに従って撮像条件を調整する調整ステップ(S9)、調整ステップの処理の後に撮像手段から出力された電子画像を取得操作に応答して取得する取得ステップ(S17)、取得ステップによって取得された電子画像に対応するプレビュー画像を取得操作のタイミングを基準とする指定期間にモニタ画面に表示する表示ステップ(S19, S35)、および自己撮影モードに対応する指定期間の長さを自己撮影モードと異なる撮影モードに対応する指定期間の長さよりも延長する制御ステップ(S23~S27)を内部制御プログラムと協働して実行するプログラムに相当する。
【発明の効果】
【００１４】
この発明によれば、プレビュー画像は、取得操作に応答して取得された電子画像に対応し、かつ取得操作のタイミングを基準とする指定期間に表示される。ただし、自己撮影モードが選択されたときの指定期間の長さは、他の撮影モードが選択されたときの指定期間の長さよりも延長される。これによって、プレビュー画像の表示に関する性能が向上する。
【００１５】
この発明の上述の目的，その他の目的，特徴および利点は、図面を参照して行う以下の実施例の詳細な説明から一層明らかとなろう。
【図面の簡単な説明】
【００１６】
【図１】この発明の一実施例の基本的構成を示すブロック図である。
【図２】この発明の一実施例の構成を示すブロック図である。
【図３】図２実施例に適用されるＳＤＲＡＭのマッピング状態の一例を示す図解図である。
【図４】撮像面における評価エリアの割り当て状態の一例を示す図解図である。
【図５】（Ａ）はカメラ筐体の前面の一例を示す図解図であり、（Ｂ）カメラ筐体の背面の一例を示す図解図である。
【図６】図２実施例に適用されるＣＰＵの動作の一部を示すフロー図である。
【図７】図２実施例に適用されるＣＰＵの動作の他の一部を示すフロー図である。
【図８】この発明の他の実施例の構成を示すブロック図である。
【発明を実施するための形態】
【００１７】
以下、この発明の実施の形態を図面を参照しながら説明する。
［基本的構成］
【００１８】
図１を参照して、この実施例の電子カメラは、基本的に次のように構成される。撮像手段１は、撮像面で捉えられた光学像に対応する電子画像を出力する。調整手段２は、自己撮影モードを含む複数の撮影モードのいずれか１つに従って撮像条件を調整する。取得手段３は、調整手段２の処理の後に撮像手段１から出力された電子画像を取得操作に応答して取得する。表示手段４は、取得手段３によって取得された電子画像に対応するプレビュー画像を取得操作のタイミングを基準とする指定期間にモニタ画面に表示する。制御手段５は、自己撮影モードに対応する指定期間の長さを自己撮影モードと異なる撮影モードに対応する指定期間の長さよりも延長する。
【００１９】
プレビュー画像は、取得操作に応答して取得された電子画像に対応し、かつ取得操作のタイミングを基準とする指定期間に表示される。ただし、自己撮影モードが選択されたときの指定期間の長さは、他の撮影モードが選択されたときの指定期間の長さよりも延長される。これによって、プレビュー画像の表示に関する性能が向上する。
［実施例］
【００２０】
図２を参照して、この実施例のディジタルカメラ１０は、ドライバ１８ａおよび１８ｂによってそれぞれ駆動されるフォーカスレンズ１２および絞りユニット１４を含む。これらの部材を経た光学像は、イメージャ１６の撮像面に照射され、光電変換を施される。これによって、光学像に対応する電荷が生成される。
【００２１】
電源が投入されると、ＣＰＵ２６は、動画取り込み処理を開始するべく露光動作および電荷読み出し動作の繰り返しをドライバ１８ｃに命令し、動画表示処理を開始するべく動画表示命令をＬＣＤドライバ３６に与える。なお、動画表示命令には、表示対象を識別する識別情報が記述される。
【００２２】
ドライバ１８ｃは、図示しないＳＧ(Signal Generator)から周期的に発生する垂直同期信号Ｖｓｙｎｃに応答して、撮像面を露光し、かつ撮像面で生成された電荷をラスタ走査態様で読み出す。イメージャ１６からは、読み出された電荷に基づく生画像データが周期的に出力される。
【００２３】
前処理回路２０は、イメージャ１６から出力された生画像データにディジタルクランプ，画素欠陥補正，ゲイン制御などの処理を施す。これらの処理を施された生画像データは、メモリ制御回路３０を通してＳＤＲＡＭ３２の生画像エリア３２ａ（図３参照）に書き込まれる。
【００２４】
後処理回路３４は、生画像エリア３２ａに格納された生画像データをメモリ制御回路３０を通して読み出し、読み出された生画像データに色分離処理，白バランス調整処理およびＹＵＶ変換処理を施す。これによって生成されたＹＵＶ形式の画像データは、メモリ制御回路３０によってＳＤＲＡＭ３２のＹＵＶ画像エリア３２ｂ（図３参照）に書き込まれる。
【００２５】
動画表示命令に記述された識別情報は、こうしてＹＵＶ画像エリア３２ｂに書き込まれた画像データを示す。ＬＣＤドライバ３６は、ＹＵＶ画像エリア３２ｂに格納された画像データをメモリ制御回路３０を通して繰り返し読み出し、読み出された画像データに基づいてＬＣＤモニタ３８を駆動する。この結果、撮像面で捉えられたシーンを表すリアルタイム動画像（スルー画像）がモニタ画面に表示される。
【００２６】
図４を参照して、撮像面の中央には評価エリアＥＶＡが割り当てられる。評価エリアＥＶＡは水平方向および垂直方向の各々において１６分割され、２５６個の分割エリアが評価エリアＥＶＡを形成する。また、図２に示す前処理回路２０は、上述した処理に加えて、生画像データを簡易的にＹデータに変換する簡易Ｙ変換処理を実行する。
【００２７】
ＡＥ評価回路２２は、前処理回路２０によって生成されたＹデータのうち評価エリアＥＶＡに属するＹデータを、垂直同期信号Ｖｓｙｎｃが発生する毎に積分する。これによって、２５６個の積分値つまり２５６個のＡＥ評価値が、垂直同期信号Ｖｓｙｎｃに応答してＡＥ評価回路２２から出力される。ＡＦ評価回路２４は、前処理回路２０によって生成されたＹデータのうち評価エリアＥＶＡに属するＹデータの高周波成分を、垂直同期信号Ｖｓｙｎｃが発生する毎に積分する。これによって、２５６個の積分値つまり２５６個のＡＦ評価値が、垂直同期信号Ｖｓｙｎｃに応答してＡＦ評価回路２４から出力される。
【００２８】
撮影モードとしては風景モード，室内モード，オートモード，セルフポートレートモードなどの複数のモードが準備され、モードキー２８ｍｄの操作によってこれらのモードのいずれか１つが指定される。以下では、モードキー２８ｍｄの操作によって指定された撮像モードを“指定撮影モード”と定義する。
【００２９】
また、セルフポートレートモードは、操作者が自分自身を撮影する場合を想定したモードであり、“自己撮影モード”と定義することもできる。図５（Ａ）〜図５（Ｂ）に示すように、撮像面はカメラ筐体ＣＢ１の前方を向き、モニタ画面はカメラ筐体ＣＢ１の後方を向く。つまり、撮像面の向きはモニタ画面の向きと異なる。このため、セルフポートレートモードでは、操作者は、モニタ画面の表示を確認することなく撮影操作を行うことになる。
【００３０】
キー入力装置２８に設けられたシャッタボタン２８ｓｈが非操作状態にあるとき、ＣＰＵ２６は、ＡＥ評価回路２２から出力された２５６個のＡＥ評価値に基づく簡易ＡＥ処理を指定撮影モードに従う態様で実行し、適正ＥＶ値を算出する。算出された適正ＥＶ値を定義する絞り量および露光時間はドライバ１８ｂおよび１８ｃに設定され、これによってスルー画像の明るさが大まかに調整される。
【００３１】
シャッタボタン２８ｓｈが半押しされると、ＣＰＵ２６は、ＡＥ評価回路２２から出力された２５６個のＡＥ評価値に基づく厳格ＡＥ処理を指定撮影モードに従う態様で実行し、最適ＥＶ値を算出する。算出された最適ＥＶ値を定義する絞り量および露光時間もまたドライバ１８ｂおよび１８ｃに設定され、これによってスルー画像の明るさが厳格に調整される。
【００３２】
ＣＰＵ２６はまた、ＡＦ評価回路２４から出力された２５６個のＡＦ評価値に基づくＡＦ処理を指定撮像モードに従う態様で実行する。フォーカスレンズ１２は合焦点の探索のためにドライバ１８ａによって光軸方向に移動し、これによって発見された合焦点に配置される。この結果、スルー画像の鮮鋭度が向上する。
【００３３】
シャッタボタン２８ｓｈが全押しされると、ＣＰＵ２６は、動画表示処理の中断つまりデータ読み出し動作の中断をＬＣＤドライバ３６に命令する。ＬＣＤモニタ３８の表示は、スルー画像から黒画像に遷移する。ＣＰＵ２６はまた、静止画取り込み処理を実行する。この結果、シャッタボタン２８ｓｈが全押しされた時点のシーンを表す１フレームの画像データがＹＵＶ画像エリア３２ｂから静止画像エリア３２ｃ（図３参照）に退避される。
【００３４】
ＣＰＵ２６は続いて、プレビュー画像をＬＣＤモニタ３８に表示するべく、プレビュー表示命令をＬＣＤドライバ３６に与える。プレビュー表示命令には、静止画像エリア３２ｃに退避された画像データを示す識別情報が表示対象として記述される。ＬＣＤドライバ３６は、静止画像エリア３２ｃに退避された画像データをメモリ制御回路３０を通して読み出し、読み出された画像データに基づく画像をプレビュー画像としてＬＣＤモニタ３８に表示する。
【００３５】
ＣＰＵ２６はその後、静止画像エリア３２ｃに退避された画像データの識別情報が記録対象として記述された記録命令をメモリＩ／Ｆ４０に与える。メモリＩ／Ｆ４０は、静止画像エリア３２ｃに退避された画像データをメモリ制御回路３０を通して読み出し、読み出された画像データをファイル形式で記録媒体４２に記録する。
【００３６】
ＣＰＵ２６はまた、指定撮像モードがセルフポートレートモードであるときにタイマ値を時間Ｔ＿Ｌに設定し、指定撮影モードがセルフポートレートモードと異なるモードであれるときにタイマ値を時間Ｔ＿Ｓに設定する。ここで、時間Ｔ＿Ｌは時間Ｔ＿Ｓよりも長い。たとえば、時間Ｔ＿Ｌは５秒に相当し、時間Ｔ＿Ｓは３秒に相当する。
【００３７】
タイマ２６ｔは、設定されたタイマ値に相当する時間を測定する。タイマ２６ｔにタイムアウトが発生すると、つまり設定されたタイマ値に相当する時間が経過すると、ＣＰＵ２６は、プレビュー画像の非表示をＬＣＤドライバ３６に命令する。この結果、プレビュー画像がＬＣＤモニタ３８から消失する。動画表示処理は、プレビュー画像の表示が終了された後に再開される。
【００３８】
セルフポートレートモードでは、操作者からモニタ画面が見えない状態で撮影操作を行うため、撮影操作に応答して表示されるプレビュー画像の確認に遅れが生じる。このようなモードに対応してタイマ値を増大させることで、プレビュー画像の表示に関する性能が向上する。
【００３９】
ＣＰＵ２６は、図６〜図７に示す撮像タスクを含む複数のタスクをマルチタスクＯＳの制御の下で並列的に実行する。なお、これらのタスクに対応する制御プログラムは、フラッシュメモリ４４に記憶される。
【００４０】
図６を参照して、ステップＳ１では動画取込み処理を開始するべく露光動作および電荷読み出し動作の繰り返しをドライバ１８ｃに命令し、ステップＳ３では動画表示処理を開始するべく動画表示命令をＬＣＤドライバ３６に与える。動画表示命令には、ＹＵＶ画像エリア３２ｂに書き込まれた画像データを示す識別情報が表示対象として記述される。この結果、撮像面で捉えられたシーンを表すスルー画像がＬＣＤモニタ３８に表示される。
【００４１】
ステップＳ５ではシャッタボタン２８ｓｈが半押しされたか否かを判別し、判別結果がＮＯである限り、ステップＳ７で簡易ＡＥ処理を繰り返す。簡易ＡＥ処理は指定撮像モードに従う態様で実行され、この結果、スルー画像の明るさが大まかに調整される。
【００４２】
ステップＳ５の判別結果がＮＯからＹＥＳに更新されると、ステップＳ９で厳格ＡＥ処理およびＡＦ処理を実行する。厳格ＡＥ処理およびＡＦ処理もまた、指定撮像モードに従う態様で実行される。スルー画像の明るさは厳格ＡＥ処理によって厳格に調整され、スルー画像の鮮鋭度はＡＦ処理によって向上する。
【００４３】
ステップＳ１１ではシャッタボタン２８ｓｈが全押しされたか否かを判別し、ステップＳ１３ではシャッタボタン２８ｓｈの操作が解除されたか否かを判別する。ステップＳ１３でＹＥＳであればステップＳ５に戻り、ステップＳ１１でＹＥＳであればステップＳ１５に進む。ステップＳ１５では、動画表示処理の中断つまりデータ読み出し動作の中断をＬＣＤドライバ３６に命令する。ＬＣＤモニタ３８の表示は、スルー画像から黒画像に遷移する。動画表示が中断されると、ステップＳ１７で静止画取り込み処理を実行する。この結果、シャッタボタン２８ｓｈが全押しされた時点のシーンを表す１フレームの画像データがＹＵＶ画像エリア３２ｂから静止画像エリア３２ｃに退避される。
【００４４】
ステップＳ１９では、プレビュー画像をＬＣＤモニタ３８に表示するべく、プレビュー表示命令をＬＣＤドライバ３６に与える。プレビュー表示命令には、静止画像エリア３２ｃに退避された画像データを示す識別情報が表示対象として記述される。この結果、退避された画像データに基づく画像がプレビュー画像としてＬＣＤモニタ３８に表示される。
【００４５】
プレビュー画像の表示が開始されるとステップＳ２１に進み、静止画像エリア３２ｃに退避された画像データの識別情報が記録対象として記述された記録命令をメモリＩ／Ｆ４０に与える。メモリＩ／Ｆ４０は、静止画像エリア３２ｃに退避された画像データをメモリ制御回路３０を通して読み出し、読み出された画像データをファイル形式で記録媒体４２に記録する。
【００４６】
ステップＳ２３では、指定撮像モードがセルフポートレートモードであるか否かを判別する。判別結果がＹＥＳであればステップＳ２５でタイマ値を時間Ｔ＿Ｌに設定し、判別結果がＮＯであればステップＳ２７でタイマ値を時間Ｔ＿Ｓに設定する。ここで、時間Ｔ＿Ｌは時間Ｔ＿Ｓよりも長い。
【００４７】
タイマ値の設定が完了すると、ステップＳ２９でタイマ２６ｔをスタートさせる。タイマ２６ｔは、設定されたタイマ値に相当する時間を測定する。ステップＳ３１では、タイマ２６ｔにタイムアウトが発生したか否か（＝設定されたタイマ値に相当する時間が経過したか否か）を判別する。判別結果がＮＯからＹＥＳに更新されると、ステップＳ３３でタイマ３６ｔを停止し、ステップＳ３５でプレビュー画像の非表示をＬＣＤドライバ３６に命令する。この結果、プレビュー画像がＬＣＤモニタ３８から消失する。プレビュー画像の表示がこうして終了されると、ステップＳ３７で動画表示処理を再開し、その後にステップＳ５に戻る。
【００４８】
以上の説明から分かるように、イメージャ１６は、撮像面で捉えられた光学像に対応する生画像データを出力する。ＣＰＵ２６は、セルフポートレートモードを含む複数の撮影モードのうちモードキー２８ｍｄの操作によって指定された撮像モードに従って厳格ＡＥ処理およびＡＦ処理を実行し(S9)、その後にイメージャ１６から出力された生画像データに基づくＹＵＶ形式の画像データをシャッタボタン２８ｓｈの全押し（＝取得操作）に応答して取得する(S17)。取得された画像データに対応するプレビュー画像は、シャッタボタン２８ｓｈの全押しのタイミングを基準とする指定期間（＝タイマ３６ｔに設定されたタイマ値に相当する期間）にＬＣＤモニタ２８に表示される(S19, S35)。ただし、セルフポートレートモードに対応して設定される指定期間の長さは、セルフポートレートモードと異なる撮影モードに対応して設定される指定期間の長さよりも延長される(S23~S27)。
【００４９】
このように、プレビュー画像は、シャッタボタン３８ｓｈの全押しに応答して取得された画像データに対応し、かつシャッタボタン３８ｓｈの全押しのタイミングを基準とする指定期間に表示される。ただし、セルフポートレートモードが選択されたときの指定期間の長さは、他の撮影モードが選択されたときの指定期間の長さよりも延長される。これによって、プレビュー画像の表示に関する性能が向上する。
【００５０】
なお、この実施例では、シャッタボタン２８ｓｈが全押しされたときに調整する撮像条件として露光量およびフォーカスを調整するようにしているが、これに白バランスを追加するようにしてもよい。
【００５１】
また、この実施例では、マルチタスクＯＳおよびこれによって実行される複数のタスクに相当する制御プログラムは、フラッシュメモリ４４に予め記憶される。しかし、図８に示すように通信Ｉ／Ｆ４６をディジタルカメラ１０に設け、一部の制御プログラムを内部制御プログラムとしてフラッシュメモリ４４に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００５２】
さらに、この実施例では、ＣＰＵ２６によって実行される処理を複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００５３】
１０  …ディジタルカメラ
１６  …イメージャ
２０  …前処理回路
２２  …ＡＥ評価回路
２４  …ＡＦ評価回路
２６  …ＣＰＵ
３２  …ＳＤＲＡＭ
３４  …後処理回路
【図１】
2013175979.tif 000003
【図２】
2013175979.tif 000004
【図３】
2013175979.tif 000005
【図４】
2013175979.tif 000006
【図５】
2013175979.tif 000007
【図６】
2013175979.tif 000008
【図７】
2013175979.tif 000009
【図８】
2013175979.tif 000010